(57)【要約】【課題】弾性方向以外の方向の外力に対して変形又は破損しにくい接触端子を提供する。【解決手段】天板部１０は金属平板で構成される。第１、第２のばね部１１，１２は、天板部１０と一体化した細長状の金属板で構成されている。第１、第２のばね部１１，１２は、互いに異なる位置で天板部１０の外縁と連結した第１、第２の連結部２０Ａ，２０Ｂが一端に設けられ、基板２と接続する第１、第２の基板接続部２１Ａ，２１Ｂが他端に設けられている。第１、第２の連結部２０Ａ，２０Ｂと第１、第２の基板接続部２１Ａ，２１Ｂとの間に天板部１０に平行な面内方向に折れ曲がった第１、第２の折曲部２３Ａ，２３Ｂと、天板部１０Ａから基板２に向かって天板部１０の法線方向に折り返された第１、第２の折返部２５Ａ，２５Ｂとが設けられており、互いに干渉することなく天板部１０の法線方向に弾性変形可能に構成されている。【選択図】図１
2018056060.tif 000002
【特許請求の範囲】
【請求項１】
基板に接続され、前記基板に対向配置された他の部材と接触して前記基板と前記他の部材とを電気的に接続する接触端子であって、
金属平板で構成され、前記他の部材と接触する天板部と、
前記天板部と一体化した細長状の金属板で構成され、前記天板部の外縁と連結した第１の連結部が一端に設けられ、前記基板と接続する第１の基板接続部が他端に設けられ、前記第１の連結部と前記第１の基板接続部との間に前記天板部に平行な面内方向に折れ曲がった第１の折曲部と前記天板部から前記基板に向かって前記天板部の法線方向に折り返された第１の折返部とが設けられ、前記天板部の法線方向に弾性変形可能に構成された第１のばね部と、
前記天板部と一体化した細長状の金属板で構成され、前記第１の連結部と異なる位置で前記天板部の外縁と連結した第２の連結部が一端に設けられ、前記基板と接続する第２の基板接続部が他端に設けられ、前記第２の連結部と前記第２の基板接続部との間に前記天板部に平行な面内方向に折れ曲がった第２の折曲部と前記天板部から前記基板に向かって前記天板部の法線方向に折り返された第２の折返部とが設けられ、前記第１のばね部と干渉することなく前記天板部の法線方向に弾性変形可能に構成された第２のばね部と、
を備える接触端子。
【請求項２】
前記第１のばね部及び前記第２のばね部は、
前記天板部の法線方向に互いに重ならないように配置される、
請求項１に記載の接触端子。
【請求項３】
前記天板部の法線方向から見たときに、
前記第１のばね部は、凹状に形成された部分を有しており、
前記第２のばね部の少なくとも一部が、前記第１のばね部が成す凹状の内側領域に内包されるように配置される、
請求項１に記載の接触端子。
【請求項４】
前記第１の基板接続部及び前記第２の基板接続部は、
前記基板から見たときに前記天板部の中心を基準として点対称に配置されている、
請求項１に記載の接触端子。
【請求項５】
前記天板部と一体化した金属平板で構成され、前記第１のばね部及び前記第２のばね部を囲むように配置され、前記第１のばね部及び前記第２のばね部を保護する保護部をさらに備える、
請求項１に記載の接触端子。
【請求項６】
前記保護部は、
前記天板部の法線方向に関する前記第１のばね部及び前記第２のばね部の変位量が許容値を超える場合に、前記基板と当接して前記第１のばね部及び前記第２のばね部を保護する、
請求項５に記載の接触端子。
【発明の詳細な説明】
【技術分野】
【０００１】
本発明は、接触端子に関する。
【背景技術】
【０００２】
基板に実装されるとともに、その基板に対向配置された他の部材と圧接し、基板と他の部材とを電気的に接続する導電性の圧接コネクタが開示されている（例えば、特許文献１参照）。特許文献１に開示された圧接コネクタは、基板に接続された下側平板部の端部からそれぞれ延設し、他の部材に接触する上側平板部を中心として同一方向に巻回する第１ばね部及び第２ばね部を備えている。第１ばね部及び第２ばね部の弾性力により、上側平板部は他の部材に圧接し、基板と他の部材とが電気的に接続される。
【先行技術文献】
【特許文献】
【０００３】
【特許文献１】特開２０１６−００１５８３号公報
【発明の概要】
【発明が解決しようとする課題】
【０００４】
この圧接コネクタでは、第１ばね部の一端は上側平板部の端部に連接しているが、第２ばね部の一端は上側平板部の端部に連接しておらず、上側平板部は、第１ばね部だけで支持されている。このため、例えば、基板が挿入される電子機器の組み立て時等に弾性方向以外の方向から外力がかかって上側平板部がめくれるなどして、圧接コネクタが変形し易くなっており、場合によっては圧接コネクタが破損するおそれもある。
【０００５】
本発明は、上記実情に鑑みてなされたものであり、弾性方向以外の方向の外力に対して変形又は破損しにくい接触端子を提供することを目的とする。
【課題を解決するための手段】
【０００６】
上記目的を達成するため、本発明に係る接触端子は、
基板に接続され、前記基板に対向配置された他の部材と接触して前記基板と前記他の部材とを電気的に接続する接触端子であって、
金属平板で構成され、前記他の部材と接触する天板部と、
前記天板部と一体化した細長状の金属板で構成され、前記天板部の外縁と連結した第１の連結部が一端に設けられ、前記基板と接続する第１の基板接続部が他端に設けられ、前記第１の連結部と前記第１の基板接続部との間に前記天板部に平行な面内方向に折れ曲がった第１の折曲部と前記天板部から前記基板に向かって前記天板部の法線方向に折り返された第１の折返部とが設けられ、前記天板部の法線方向に弾性変形可能に構成された第１のばね部と、
前記天板部と一体化した細長状の金属板で構成され、前記第１の連結部と異なる位置で前記天板部の外縁と連結した第２の連結部が一端に設けられ、前記基板と接続する第２の基板接続部が他端に設けられ、前記第２の連結部と前記第２の基板接続部との間に前記天板部に平行な面内方向に折れ曲がった第２の折曲部と前記天板部から前記基板に向かって前記天板部の法線方向に折り返された第２の折返部とが設けられ、前記第１のばね部と干渉することなく前記天板部の法線方向に弾性変形可能に構成された第２のばね部と、
を備える。
【０００７】
この場合、前記第１のばね部及び前記第２のばね部は、
前記天板部の法線方向に互いに重ならないように配置される、
こととしてもよい。
【０００８】
前記天板部の法線方向から見たときに、
前記第１のばね部は、凹状に形成された部分を有しており、
前記第２のばね部の少なくとも一部が、前記第１のばね部が成す凹状の内側領域に内包されるように配置される、
こととしてもよい。
【０００９】
前記第１の基板接続部及び前記第２の基板接続部は、
前記基板から見たときに前記天板部の中心を基準として点対称に配置されている、
こととしてもよい。
【００１０】
前記天板部と一体化した金属平板で構成され、前記第１のばね部及び前記第２のばね部を囲むように配置され、前記第１のばね部及び前記第２のばね部を保護する保護部をさらに備える、
こととしてもよい。
【００１１】
前記保護部は、
前記天板部の法線方向に関する前記第１のばね部及び前記第２のばね部の変位量が許容値を超える場合に、前記基板と当接して前記第１のばね部及び前記第２のばね部を保護する、
こととしてもよい。
【発明の効果】
【００１２】
本発明によれば、第１のばね部及び第２のばね部の両方が天板部と一体化している。このため、弾性方向以外の方向の外力が加わったとしても、第１のばね部及び第２のばね部により天板部を強固に支持することができるので、弾性方向以外の方向の外力に対して変形又は破損しにくくすることができる。
【図面の簡単な説明】
【００１３】
【図１】図１（Ａ）及び図１（Ｂ）は、本発明の実施の形態１に係る接触端子を斜め上方から見た斜視図である。
【図２】図２（Ａ）及び図２（Ｂ）は、接触端子の側面図である。
【図３】図１（Ａ）及び図１（Ｂ）の接触端子を構成する金属平板の展開図である。
【図４】図４（Ａ）は、接触端子の上面図である。図４（Ｂ）は、接触端子の底面図である。
【図５】接触端子を斜め下から見た斜視図である。
【図６】図６（Ａ）は、第１の折返部の変形を示す模式図である。図６（Ｂ）は、接触端子が変形する様子を示す模式図である。
【図７】図７（Ａ）及び図７（Ｂ）は、本発明の実施の形態１に係る接触端子を斜め上方から見た斜視図である。
【図８】図７（Ａ）及び図７（Ｂ）の接触端子を構成する金属平板の展開図である。
【図９】図９（Ａ）は、接触端子の上面図である。図９（Ｂ）は、接触端子の底面図である。
【図１０】図１０（Ａ）及び図１０（Ｂ）は、接触端子が伸縮した状態を示す図である。
【図１１】図１１（Ａ）乃至図１１（Ｃ）は、ばね部の変形例を示す図である。
【図１２】ばね部の連結部の配置の変形例を示す図である。
【図１３】ガードの変形例を示す図である。
【発明を実施するための形態】
【００１４】
以下、本発明の実施の形態について、図面を参照して詳細に説明する。
【００１５】
実施の形態１．
まず、本発明の実施の形態１について説明する。
【００１６】
本実施の形態に係る接触端子は、基板上の占有面積が小さく（例えば３．０ｍｍ×３．０ｍｍ）、スマートフォン等の小型の電子機器に内蔵される基板にも実装可能な金属（例えばリン青銅）製の端子である。図１（Ａ）に示すように、接触端子１Ａは、基板２上に実装される。本実施の形態では、基板２の実装面をＸＹ平面に平行な面とし、基板２の実装面の法線方向をＺ軸方向とする。
【００１７】
図１（Ａ）及び図１（Ｂ）に示すように、接触端子１Ａは、天板部１０と、第１のばね部１１と、第２のばね部１２と、を備える。天板部１０は、第１のばね部１１及び第２のばね部１２を介して基板２に接続されている。第１のばね部１１及び第２のばね部１２は、Ｚ軸方向に弾性力を有する弾性部材である。天板部１０は、第１のばね部１１及び第２のばね部１２の両方に連結され、両者に支持されている。このため、接触端子１Ａは、弾性方向（Ｚ軸方向）以外の方向から加えられる外力に対して強靱であり、その外力により変形又は破損し難くなっている。
【００１８】
また、上記特許文献１に記載の圧接コネクタのように、Ｚ軸方向に伸縮するらせん状（言い換えればスパイラル）ばねは、その構造上、一般的に、伸縮方向に重なった部分がないことが設計上の制約となるので、限られた面積にばねを収める場合、ばね長（らせんに沿ったばねの長さ）が制限される。しかしながら、第１のばね部１１及び第２のばね部１２は、図１（Ａ）及び図１（Ｂ）に示すように、Ｚ軸方向に折り返された部分に弾力を持つ構造となっているので、Ｚ軸方向に重なった部分を許容し、事実上のばね長の制限をなくすことができる。よって、接触端子１Ａの設計の自由度が向上し、所望のばね長、変位量、弾性力を有する接触端子１Ａを得ることができる。
【００１９】
図２（Ａ）及び図２（Ｂ）に示すように、接触端子１Ａは、基板２と、基板２に対向配置される基板３との間に配置されている。接触端子１Ａは、第１のばね部１１及び第２のばね部１２の弾性力で、天板部１０に当接する基板３と圧接する。この接触端子１Ａにより、基板２と基板３とが電気的に接続される。
【００２０】
図１に示す接触端子１Ａは、部品点数を削減すべく、図３に示す１枚の金属平板１Ａ（例えば板厚０．０７ｍｍ）から形成される。図３に示すように、この金属平板１Ａは、天板部１０となる矩形状の金属板１０を中心に構成されている。さらに、この金属平板１Ａでは、金属板１０と連結され、互いに反対側に延びる細長状の一対の金属板１１，１２が設けられている。すなわち、金属板１１，１２は、金属板１０を挟むように配置されている。この一対の金属板１１，１２が、第１のばね部１１及び第２のばね部１２となる。
【００２１】
言い換えると、第１のばね部１１の一端は、天板部１０の外縁と連結している。第２のばね部１２の一端は、天板部１０の中心Ｏに対し、第１のばね部１１の一端が連結する位置と点対称な位置で天板部１０の外縁と連結している。
【００２２】
金属平板１Ａは、図３に示す状態から、金属板１１及び金属板１２がプレス成形機でそれぞれ折り曲げられた後、キャリア（不図示）から切り離されて、図１（Ａ）及び図１（Ｂ）に示す接触端子１Ａとなり、基板２に実装される。
【００２３】
図１（Ａ）及び図１（Ｂ）に示すように、天板部１０は、接触端子１Ａの＋Ｚ側の端部に位置する矩形状の金属板である（図４（Ａ）参照）。天板部１０の中心Ｏには、球面状に突出した接点部１０Ａが設けられており、図２に示すように、接点部１０Ａが基板３と接触する。
【００２４】
第１のばね部１１では、図１〜図３に示すように、天板部１０の外縁と連結する第１の連結部２０Ａが一端に設けられている。第１の連結部２０Ａは、天板部１０に対して基板２に向かって折り曲げられている。一方で、第１のばね部１１の他端には、基板２と接続する第１の基板接続部２１Ａが設けられている。第１の基板接続部２１Ａは、基板２に対向する部分を有している。第１の基板接続部２１Ａは、はんだ付けにより基板２に接続される。
【００２５】
第１のばね部１１では、第１の連結部２０Ａと第１の基板接続部２１Ａとの間に第１の中間部２２Ａが設けられている。第１の中間部２２Ａは、天板部１０に平行な面内方向に折れ曲がった第１の折曲部２３Ａと、その面内方向に延びる第１の延設部２４Ａと、天板部１０から基板２に向かって天板部１０の法線方向（−Ｚ方向）に折り返された第１の折返部２５Ａとを有している。ここで、面内方向とは、２次元平面内の任意の方向をいう。天板部１０は、ＸＹ平面に平行であるため、ＸＹ平面内の任意のベクトルが指す方向が、天板部１０に平行な面内方向となる。ＸＹ平面の面内方向をＺ軸に直交する方向と言い換えることもできる。
【００２６】
図３に示すように、第１の中間部２２Ａは、第１の連結部２０Ａから、第１の折曲部２３Ａ、第１の延設部２４Ａ、第１の折曲部２３Ａ、第１の折返部２５Ａ、第１の折曲部２３Ａ、第１の延設部２４Ａ、第１の折曲部２３Ａ、第１の折返部２５Ａ、第１の折曲部２３Ａの順に連結されて、最終的に第１の基板接続部２１Ａに連結されている。第１の折返部２５Ａにより、第１のばね部１１には、Ｚ軸方向に重なった部分が形成される。
【００２７】
第１のばね部１１は、弾性変形可能に構成されている。第１のばね部１１では、第１の中間部２２Ａが弾性変形する。第１の中間部２２Ａは、第１の折返部２５Ａが変形したり（図６（Ａ）参照）、第１の延設部２４Ａがねじれたりすることにより、Ｚ軸方向に伸縮する。
【００２８】
一方、図１（Ａ）及び図１（Ｂ）に示すように、第２のばね部１２には、天板部１０の外縁と連結する第２の連結部２０Ｂが一端に設けられている。第２の連結部２０Ｂは、基板２に向かって折り曲げられている。一方で、第２のばね部１２の他端には、基板２と接続する第２の基板接続部２１Ｂが設けられている。第２の基板接続部２１Ｂは、基板２に対向する部分を有している。第２の基板接続部２１Ｂは、はんだ付けにより基板２に接続される。
【００２９】
第２のばね部１２には、第２の連結部２０Ｂと第２の基板接続部２１Ｂとの間に第２の中間部２２Ｂが設けられている。第２の中間部２２Ｂは、天板部１０に平行な面内方向に折れ曲がった第２の折曲部２３Ｂと、その面内方向に延びる第２の延設部２４Ｂと、天板部１０から基板２に向かって天板部１０の法線方向（−Ｚ方向）に折り返された第２の折返部２５Ｂとを有している。
【００３０】
図３に示すように、第２の中間部２２Ｂは、第２の連結部２０Ｂから、第２の折曲部２３Ｂ、第２の延設部２４Ｂ、第２の折曲部２３Ｂ、第２の折返部２５Ｂ、第２の折曲部２３Ｂ、第２の延設部２４Ｂ、第２の折曲部２３Ｂ、第２の折返部２５Ｂ、第２の折曲部２３Ｂの順に連結されて、最終的に第２の基板接続部２１Ｂに連結されている。第２の折返部２５Ｂにより、第２のばね部１２には、Ｚ軸方向に重なった部分が形成される。
【００３１】
第２のばね部１２は、弾性変形可能に構成されている。第２のばね部１２では、第２の中間部２２Ｂが弾性変形する。第２の中間部２２Ｂは、第２の折返部２５Ｂが変形したり（図６（Ａ）参照）、第２の延設部２４Ｂがねじれたりすることにより、Ｚ軸方向に伸縮する。
【００３２】
図４（Ｂ）に示すように、第１のばね部１１及び第２のばね部１２は、Ｚ軸方向から見た場合に、互いに重ならないように配置されている。第１のばね部１１及び第２のばね部１２は、図６（Ａ）に示すように、第１の折返部２５Ａ及び第２の折返部２５Ｂが変形するなどして、Ｚ軸方向に弾性変形するので、例えば、Ｚ軸方向に凸となるらせん状にばね部を形成した場合にくらべ、ＸＹ平面の面内方向の変形量が小さくなる。このため、第１のばね部１１と第２のばね部１２とのＸＹ平面における位置を近接させることができるので、接触端子１Ａ全体を小型化することができる。
【００３３】
また、図４（Ｂ）に示すように、基板２から見たときに、第１のばね部１１は、凹状に形成された部分を有しており、第２のばね部１２の少なくとも一部（第２の延設部２４Ｂ）が、第１のばね部１１が成す凹状の内側領域に内包されるように配置されている。これにより、接触端子１Ａの基板２への実装面積を小さくして、その小型化を図ることができる。
【００３４】
また、図４（Ｂ）に示すように、第１の基板接続部２１Ａ及び第２の基板接続部２１Ｂは、基板２から見たときに天板部１０の中心Ｏを基準として点対称に配置されている。このようにすれば、接触端子１Ａをバランス良く安定して保持することができる。図５に示すように、第１の基板接続部２１Ａ及び第２の基板接続部２１Ｂは、天板部１０の対向する縁部から−Ｚ方向に離れた位置にそれぞれ配置されている。
【００３５】
次に、基板２と基板３との間に配置された接触端子１Ａの動作について説明する。
【００３６】
接触端子１Ａは、図２（Ａ）及び図２（Ｂ）に示すように、第１のばね部１１及び第２のばね部１２に余裕がある状態で、基板２と基板３とを電気的に接続する。接触端子１Ａは、信号伝送用にも、接地用にも用いられる。
【００３７】
基板２と基板３との間隔が変動すると、図６（Ｂ）に示すように、接触端子１Ａは、その変動に応じて伸縮する。この場合でも、第１のばね部１１及び第２のばね部１２は、Ｚ軸方向に変形するだけであり、互いに干渉することはない。
【００３８】
実施の形態２．
次に、本発明の実施の形態２について説明する。
【００３９】
本実施の形態２に係る接触端子１Ｂは、図７（Ａ）及び図７（Ｂ）に示すように、ガード３０Ａ，３１Ａ，３０Ｂ，３１Ｂをさらに備える点が、上記実施の形態１に係る接触端子１Ａと異なっている。ガード３０Ａ，３１Ａ，３０Ｂ，３１Ｂは、第１のばね部１１及び第２のばね部１２を、ＸＹ平面における四方から取り囲んでいる。ガード３０Ａ，３１Ａ，３０Ｂ，３１Ｂは、接触端子１Ｂの実装中に、作業者の手が第１のばね部１１及び第２のばね部１２に接触して、変形するのを防止する。また、ガード３０Ａ，３１Ａ，３０Ｂ，３１Ｂは、第１のばね部１１及び第２のばね部１２がＸＹ平面の面内方向に過度に歪むのを規制する。
【００４０】
図８に示すように、ガード３０Ａ，３０Ｂは、天板部１０に連結されており、ガード３１Ａは、ガード３０Ａに連結されており、ガード３１Ｂは、ガード３０Ｂに連結されている。ガード３０Ａ，３１Ａ，３０Ｂ，３１Ｂは、天板部１０と一体化した金属板１１，１２で構成されている。
【００４１】
ガード３０Ａ，３０Ｂは、天板部１０に対して直角に折り曲げられ、ガード３１Ａ，３１Ｂは、ガード３０Ａ，３０Ｂに対して直角に折り曲げられて、配置される。図９（Ａ）及び図９（Ｂ）に示すように、ガード３０Ａ，３１Ａ，３０Ｂ，３１Ｂは、第１のばね部１１及び第２のばね部１２を囲むように配置され、第１のばね部１１及び第２のばね部１２を保護する保護部となっている。
【００４２】
基板２と基板３との間隔に応じて第１のばね部１１及び第２のばね部１２は、上述のように、Ｚ軸方向に伸縮する。第１のばね部１１及び第２のばね部１２が縮み量に余裕がある状態では、図１０（Ａ）に示すように、ガード３０Ａ，３１Ａ，３０Ｂ，３１Ｂは、基板２から浮いている。これに対して、図１０（Ｂ）に示すように、第１のばね部１１及び第２のばね部１２のＺ軸方向の変位量が許容値を超えようとする場合に、ガード３０Ａ，３１Ａ，３０Ｂ，３１Ｂは、基板２と当接して第１のばね部１１及び第２のばね部１２がこれ以上縮まないように保護する。このようにすれば、第１のばね部１１及び第２のばね部１２が過度に変形するのを防止することができる。
【００４３】
また、ガード３０Ａ，３１Ａ，３０Ｂ，３１Ｂは、Ｚ軸方向の長さが同じである。このため、ガード３０Ａ，３１Ａ，３０Ｂ，３１Ｂを基板２に当接させながら、接触端子１Ｂを基板２に実装するようにすれば、天板部１０を基板２に対して平行に設置することができる。
【００４４】
以上詳細に説明したように、上記各実施の形態によれば、第１のばね部１１及び第２のばね部１２が天板部１０と一体化している。このため、弾性方向以外の方向の外力が加わったとしても、第１のばね部１１及び第２のばね部１２により天板部１０を強固に支持することができるので、弾性方向以外の方向の外力に対して変形又は破損しにくくすることができる。
【００４５】
すなわち、本実施の形態では、天板部１０が第１のばね部１１と第２のばね部１２との両方に接続されているので、天板部１０を基板２上で安定して保持することができる。
【００４６】
また、上記各実施の形態に係る接触端子１Ａ，１Ｂでは、第１のばね部１１及び第２のばね部１２を、例えばらせん状に形成する場合とは異なり、上述のように、Ｚ軸方向から見て重なる部分を有しないように設計する必要があるという制約を不要とすることができる。このため、らせん状に形成した場合にくらべ、第１のばね部１１及び第２のばね部１２のばね長をより長くすることができる。ばね長を長くすることができれば、ばね長を調整して、第１のばね部１１及び第２のばね部１２の接圧等を調整することも容易となる。すなわち、上記各実施の形態に係る接触端子１Ａ，１Ｂにおける設計の自由度を向上し、所望のばね長、変位量、弾性力を有する接触端子１Ａ，１Ｂを得ることができる。
【００４７】
また、第１のばね部１１及び第２のばね部１２を天板部１０と一体化することにより、基板２に接続する大きな底板を不要とすることができる。
【００４８】
また、上記各実施の形態によれば、天板部１０に第１のばね部１１及び第２のばね部１２が接続され、第１のばね部１１の端部に第１の基板接続部２１Ａが設けられ、第２のばね部１２の端部に第２の基板接続部２１Ｂが設けられ、それぞれの基板接続部が独立して形成される（図５参照）。すなわち、第１の基板接続部２１Ａ及び第２の基板接続部２１Ｂの位置は、図４（Ｂ）に示すように、天板部１０を中心に設計されるので、第１の基板接続部２１Ａから天板部１０までの高さと、第２の基板接続部２１Ｂから天板部１０までの高さとを精度良く揃えることができる。この結果、天板部１０を基板２の実装面と平行に配置し易くなる。
【００４９】
なお、上記実施の形態１では、第１の基板接続部２１Ａ及び第２の基板接続部２１Ｂの基板２に対向する部分において、金属板が天板部１０に向かって折り返された部分を有するものとしてもよい。なお、この折り返しの数は１回に限らず、複数回折り返すようにしてもよい。このようにすれば、第１の基板接続部２１Ａ及び第２の基板接続部２１Ｂにおいて、基板２と接触する部分の面積をより大きくすることができる。また、金属板をすぐ折り返すのではなく、基板２との接触する部分を広くとってから折り返すようにしてもよい。
【００５０】
また、第１の基板接続部２１Ａ及び第２の基板接続部２１Ｂでは、基板２に対向する部分を、基板２から見たときに折り曲がったＬ字状としてもよい。これらは、Ｕ字状、四角形状など、他の折れ曲がった形状であってもよい。すなわち、折り曲げ数は複数回であってもよく、折り曲がる向きも任意である。折り曲げた回数及び方向が多ければ多いほど、接触端子１Ａを安定して保持することができる。
【００５１】
また、上記各実施の形態では、図４（Ｂ）に示すように、第１のばね部１１及び第２のばね部１２は、基板２から見たときに、凹状となっており、互いの一部を凹状の内部領域に位置するように（互い違いに）配置されている。しかしながら、本発明はこれには限られない。第１のばね部１１と第２のばね部１２とを別々の領域に配置してもよい。第１のばね部１１及び第２のばね部１２のＸＹ平面と平行な面内方向における折れ曲がり方向は、両者が干渉しないのであれば、特に制限はない。すなわち、第１の折曲部２３Ａ及び第２の折曲部２３Ｂの数は幾つであってもよい。第１のばね部１１及び第２のばね部１２が、図１１（Ａ）に示すように、基板２から見たときに、第１のばね部１１及び第２のばね部１２は、Ｌ字状であってもよいし、図１１（Ｂ）に示すように、渦巻き状であってもよいし、図１１（Ｃ）に示すように、Ｓ字状であってもよい。
【００５２】
また、上記各実施の形態では、第１のばね部１１（第１の連結部２０Ａ）及び第２のばね部１２（第２の連結部２０Ｂ）は、天板部１０を挟むように連結されている。このようにすれば、両者で、天板部１０を最も安定して保持することができる。しかしながら、本発明はこれには限られない。図１２に示すように、天板部１０の互いに直交して隣接する外縁に、第１の連結部２０Ａ及び第２の連結部２０Ｂを配設するようにしてもよい。
【００５３】
また、上記各実施の形態では、第１の基板接続部２１Ａと、第２の基板接続部２１Ｂとは、基板２から見たときに、天板部１０の中心Ｏを互いに囲むように配置されている。これにより、接触端子１Ａ全体を安定して保持することができる。しかしながら、本発明はこれには限られない。接触端子１Ａを安定して保持できるのであれば、天板部１０の中心Ｏから見て、第１の基板接続部２１Ａと第２の基板接続部２１Ｂとが、同じ方向又は直交する方向に配置されていてもよい。
【００５４】
また、上記各実施の形態では、第１のばね部１１及び第２のばね部１２の第１の折返部２５Ａ及び第２の折返部２５Ｂの数を２つとしたが、本発明はこれには限られない。第１の折返部２５Ａ及び第２の折返部２５Ｂの数は、１つでもよく、３つ以上であってもよい。
【００５５】
また、第１のばね部１１及び第２のばね部１２で囲まれた部位（天板部１０の−Ｚ側）に第１のばね部１１及び第２のばね部１２の動きを規制するスペーサを配設するようにしてもよい。また、図１３に示すように、第１のばね部１１及び第２のばね部１２をその内側（天板部１０の中心Ｏの側）から保護する他のガード３２Ａ，３２Ｂ，３３Ａ，３３Ｂを設けるようにしてもよい。
【００５６】
天板部１０の形状は、矩形状には限られない。例えば、円形や四角形以外の多角形でもよい。天板部１０は、製造時に吸着ノズルで吸着可能な大きさとなっているのが望ましい。
【００５７】
なお、上記各実施の形態では、基板２と基板３とを電気的に接続する接触端子１Ａ，１Ｂについて説明したが、本発明はこれには限られない。基板２とその基板２が実装された筐体とを電気的に接続するのに用いるようにしてもよい。
【００５８】
この発明は、この発明の広義の精神と範囲を逸脱することなく、様々な実施の形態及び変形が可能とされるものである。また、上述した実施の形態は、この発明を説明するためのものであり、この発明の範囲を限定するものではない。すなわち、この発明の範囲は、実施の形態ではなく、特許請求の範囲によって示される。そして、特許請求の範囲内及びそれと同等の発明の意義の範囲内で施される様々な変形が、この発明の範囲内とみなされる。
【産業上の利用可能性】
【００５９】
本発明は、基板に接続され、基板に対向配置された他の部材と接触して基板と他の部材とを電気的に接続する接触端子に適用することができる。特に、スマートフォン又はタブレット内の基板と筐体とを接続するのに用いることができる。
【符号の説明】
【００６０】
１Ａ，１Ｂ  接触端子（金属平板）、２，３  基板、１０  天板部（金属板）、１０Ａ  接点部、１１  第１のばね部（金属板）、１２  第２のばね部（金属板）、２０Ａ  第１の連結部、２０Ｂ  第２の連結部、２１Ａ  第１の基板接続部、２１Ｂ  第２の基板接続部、２２Ａ  第１の中間部、２２Ｂ  第２の中間部、２３Ａ  第１の折曲部、２３Ｂ  第２の折曲部、２４Ａ  第１の延設部、２４Ｂ  第２の延設部、２５Ａ  第１の折返部、２５Ｂ  第２の折返部、３０Ａ，３１Ａ，３０Ｂ，３１Ｂ，３２Ａ，３２Ｂ，３３Ａ，３３Ｂ  ガード、Ｏ  中心
【図１】
2018056060.tif 000003
【図２】
2018056060.tif 000004
【図３】
2018056060.tif 000005
【図４】
2018056060.tif 000006
【図５】
2018056060.tif 000007
【図６】
2018056060.tif 000008
【図７】
2018056060.tif 000009
【図８】
2018056060.tif 000010
【図９】
2018056060.tif 000011
【図１０】
2018056060.tif 000012
【図１１】
2018056060.tif 000013
【図１２】
2018056060.tif 000014
【図１３】
2018056060.tif 000015